(57)【要約】【課題】結露が電極に接触することを抑制することができ、かつ小さいスペースで電極を検査することができる電極カバーを提供する。【解決手段】電極カバー１０は、カバー部１１と、舌片部１２とを備えている。カバー部１１は、中和器６の外部において電極７を覆うためのものである。舌片部１２は、カバー部１１から延び、かつ開口ＯＰに挿入可能である。カバー部１１および舌片部１２の少なくともいずれかは、第１の係止部１０ａと、第２の係止部１０ｂとを含む。第１の係止部１０ａは、舌片部１２が開口ＯＰに挿入された状態で開口ＯＰ周辺の中和器６の部分のうちカバー部１１側の端部６ｂに係止可能である。第２の係止部１０ｂは、第１の係止部１０ａよりもカバー部１１側に配置され、舌片部１２が開口ＯＰに挿入された状態で開口ＯＰ周辺の中和器６の部分のうちカバー部１１側の端部６ｂに係止可能である。【選択図】図５
2015219214.tif 000002
【特許請求の範囲】
【請求項１】
開口が設けられた貯留タンクの外部から内部に延び、前記貯留タンク内の液位を検知可能な電極の電極カバーであって、
前記貯留タンクの外部において前記電極を覆うためのカバー部と、
前記カバー部から延び、かつ前記開口に挿入可能な舌片部とを備え、
前記カバー部および前記舌片部の少なくともいずれかは、
前記舌片部が前記開口に挿入された状態で前記開口周辺の前記貯留タンクの部分のうち前記カバー部側の端部に係止可能な第１の係止部と、
前記第１の係止部よりも前記カバー部側に配置され、前記舌片部が前記開口に挿入された状態で前記開口周辺の前記貯留タンクの部分のうち前記カバー部側の端部に係止可能な第２の係止部とを含む、電極カバー。
【請求項２】
前記舌片部は、前記舌片部が前記開口に挿入された状態で前記開口の全周において前記開口の内周面との間に隙間を有する幅狭部を含む、請求項１に記載の電極カバー。
【請求項３】
前記舌片部は、
前記第１の係止部に対して前記カバー部側と反対側に配置され、前記舌片部が前記開口に挿入された状態で前記開口周辺の前記貯留タンクの部分のうち前記カバー部側と反対側の端部に係止可能な第３の係止部と、
前記第２の係止部に対して前記カバー部側と反対側に配置され、前記舌片部が前記開口に挿入された状態で前記開口周辺の前記貯留タンクの部分のうち前記カバー部側と反対側の端部に係止可能な第４の係止部とを含む、請求項１または２に記載の電極カバー。
【請求項４】
前記舌片部は、前記第１の係止部に対して前記カバー部側と反対側に設けられた摘み部を含む、請求項１〜３のいずれか１項に記載の電極カバー。
【請求項５】
前記舌片部は、可撓性の樹脂板で構成されている、請求項１〜４のいずれか１項に記載の電極カバー。
【発明の詳細な説明】
【技術分野】
【０００１】
本発明は、電極カバーに関し、特に、貯留タンク内の液位を検知可能な電極の電極カバーに関するものである。
【背景技術】
【０００２】
従来、熱源機内の中和器、ドレンタンク、熱媒タンクなどの貯留タンクの液位を電極によって検知する技術が知られている。貯留タンクの液位を電極によって検知する技術として、たとえば、貯留タンク内に挿入された複数の電極に貯留タンク内の液が接触することによる電極間の電気的導通が検知されることで貯留タンクの液位を検知するものがある。
【０００３】
この技術では、熱源機内に発生した結露が電極に接触することによって貯留タンク外において電極間が電気的に導通すると、電極間がショートして貯留タンクの液位が誤検知される。
【０００４】
このような電極間のショートを防止するために、電極の上方に電極カバーを設ける方法がある。たとえば、特開２０１１−８０８５８号公報（特許文献１）には、屋外設置のポンプに装備可能な満水検知器の電極を覆う電極カバーが開示されている。この電極カバーはステンレス材によって作られている。
【先行技術文献】
【特許文献】
【０００５】
【特許文献１】特開２０１１−８０８５８号公報
【発明の概要】
【発明が解決しようとする課題】
【０００６】
上記の電極の上方に電極カバーを設ける方法では、電極の検査時には電極カバーを取り外す必要がある。しかしながら、熱源機ではコンパクト化が図られているため、熱源機内において電極カバーを取り外すためのスペースを十分に確保することは困難である。
【０００７】
本発明は、上記課題を鑑みてなされたものであり、その目的は、結露が電極に接触することを抑制することができ、かつ小さいスペースで電極を検査することができる電極カバーを提供することである。
【課題を解決するための手段】
【０００８】
本発明の電極カバーは、開口が設けられた貯留タンクの外部から内部に延び、貯留タンク内の液位を検知可能な電極の電極カバーである。電極カバーは、カバー部と、舌片部とを備えている。カバー部は、貯留タンクの外部において電極を覆うためのものである。舌片部は、カバー部から延び、かつ開口に挿入可能である。カバー部および舌片部の少なくともいずれかは、第１の係止部と、第２の係止部とを含む。第１の係止部は、舌片部が開口に挿入された状態で開口周辺の貯留タンクの部分のうちカバー部側の端部に係止可能である。第２の係止部は、第１の係止部よりもカバー部側に配置され、舌片部が開口に挿入された状態で開口周辺の貯留タンクの部分のうちカバー部側の端部に係止可能である。
【０００９】
本発明の電極カバーによれば、カバー部が貯留タンクの外部において電極を覆うことによって結露が電極に接触することを抑制することができる。また、舌片部が開口に挿入された状態で第１の係止部が開口周辺の貯留タンクの部分のうちカバー部側の端部に係止されることによって、カバー部と中和器との間から電極が露出する。このため、カバー部と中和器との間から電極に検査器具をつないで電極を検査することができる。そして、第２の係止部が係止された状態から第１の係止部が係止された状態に舌片部を移動させることによって電極を検査することができるため、電極カバーを取り付けた状態で電極を検査することができる。したがって、電極カバーを取り外す場合よりも小さいスペースで電極を検査することができる。
【００１０】
上記の電極カバーにおいては、舌片部は、舌片部が開口に挿入された状態で開口の全周において開口の内周面との間に隙間を有する幅狭部を含む。したがって、舌片部が開口に挿入された状態で幅狭部は開口の内周面に当接しないため、舌片部をスムーズに移動させることができる。
【００１１】
上記の電極カバーにおいては、舌片部は、第１の係止部に対してカバー部側と反対側に配置され、舌片部が開口に挿入された状態で開口周辺の貯留タンクの部分のうちカバー部側と反対側の端部に係止可能な第３の係止部と、第２の係止部に対してカバー部側と反対側に配置され、舌片部が開口に挿入された状態で開口周辺の貯留タンクの部分のうちカバー部側と反対側の端部に係止可能な第４の係止部とを含む。このため、第３の係止部が端部に係止されることで舌片部が開口からカバー部側に抜けることを抑制することができ、第４の係止部が端部に係止されることで舌片部が開口からカバー部側に抜けることを抑制することができる。
【００１２】
上記の電極カバーにおいては、舌片部は、第１の係止部に対してカバー部側と反対側に設けられた摘み部を含む。このため、摘み部を摘まむことによって舌片部を操作することができる。したがって、舌片部を操作しやすい。
【００１３】
上記の電極カバーにおいては、舌片部は、可撓性の樹脂板で構成されている。したがって、舌片部は変形しやすい。このため、第１の係止部を変形させて開口に挿入させることによって、第１の係止部が係止された状態から第２の係止部が係止された状態に舌片部を移動させることが容易である。
【発明の効果】
【００１４】
以上説明したように、本発明によれば、結露による電極間のショートを抑制することができ、かつ小さいスペースで電極を検査することができる電極カバーを提供することができる。
【図面の簡単な説明】
【００１５】
【図１】本発明の一実施の形態における熱源機の構成を示す概略図である。
【図２】本発明の一実施の形態における電極カバーが中和器に取り付けられた状態を示す概略斜視図である。
【図３】本発明の一実施の形態における電極カバーを示す概略斜視図である。
【図４】本発明の一実施の形態における中和器を示す概略斜視図である。
【図５】本発明の一実施の形態における電極カバーの第１の係止部が中和器に係止された状態を示す概略斜視図である。
【図６】本発明の一実施の形態における電極カバーの第１の係止部および第２の係止部が中和器に係止された状態を説明するための概略平面図である。
【図７】本発明の一実施の形態における電極カバーの舌片部の幅狭部が開口に挿入された状態を示す概略端面図である。
【発明を実施するための形態】
【００１６】
以下、本発明の実施の形態について図に基づいて説明する。
まず、本発明の一実施の形態における熱源機の構成について説明する。以下、本実施の形態の熱源機の貯留タンクの一例として中和器について説明する。また、以下では各方向は熱源機を床面に設置した状態を基準としている。
【００１７】
図１を参照して、本実施の形態における熱源機は、筐体１と、燃焼装置２と、送風装置３と、一次熱交換器４と、二次熱交換器５と、中和器（貯留タンク）６と、電極７と、制御部８と、給湯経路９と、電極カバー１０とを主に有している。
【００１８】
筐体１は、底面（下面）１ａ、天面（上面）１ｂおよび側面１ｃと、図示しない前面および背面を有しており、これらの面によって取り囲まれた内部空間ＩＳを有している。この内部空間ＩＳに、燃焼装置２、送風装置３、一次熱交換器４、二次熱交換器５、中和器６、電極７、制御部８、給湯経路９および電極カバー１０が収納されている。
【００１９】
燃焼装置２は、燃焼ガスを供給するためのものである。この燃焼ガスは、一次熱交換器４および二次熱交換器５との間で熱交換を行なうためのものである。燃焼装置２は熱源機の高さ方向の中央部に配置されている。燃焼装置２はたとえばバーナである。
【００２０】
送風装置３は、燃焼装置２に燃焼用の空気を供給するためのものである。送風装置３は、燃焼装置２よりも底面１ａ側（下方側）に配置されている。また、送風装置３は、一次熱交換器４および二次熱交換器５よりも底面１ａ側に配置されている。送風装置３はたとえばファンである。
【００２１】
一次熱交換器４は、燃焼装置２によって供給された燃焼ガスの顕熱を回収するためのものである。二次熱交換器５は、燃焼装置２によって供給された燃焼ガスの潜熱を回収するためのものである。一次熱交換器４と二次熱交換器５とは互いに接続されている。一次熱交換器４は二次熱交換器５の下方側に配置されている。また、一次熱交換器４および二次熱交換器５は、燃焼装置２よりも上面１ｂ側（上方側）に配置されている。一次熱交換器４および二次熱交換器５はそれぞれ被加熱流体を流通可能な伝熱管と、この伝熱管を収容可能なケースとを有している。
【００２２】
一次熱交換器４で熱交換した後の燃焼ガスが二次熱交換器５へ通されることで二次熱交換器４内の水（被加熱流体）が予熱される。この過程で燃焼ガスの温度が６０℃程度まで下がることで、燃焼ガス中に含まれる水分が凝縮して潜熱が回収される。そして、燃焼ガスの潜熱が回収されることによってドレンが発生する。
【００２３】
中和器６は、二次熱交換器５で燃焼ガスの潜熱を回収することによって発生したドレンを中和するためのものである。中和器６は燃焼装置２と側面１ｃとの間に配置されている。中和器６は二次熱交換器５よりも底面１ａ側（下方側）に配置されている。
【００２４】
ドレン受けＤＲは二次熱交換器５の下方に配置されており、二次熱交換器５で生じたドレンを受けるように構成されている。このドレン受けＤＲで受けられたドレンは排気ガス中の窒素酸化物などが溶け込んでいるため酸性となる。第１のドレン配管ＤＰ１はドレン受けＤＲと中和器６とを接続している。酸性のドレンは、ドレン受けＤＲから第１のドレン配管ＤＰ１を通って中和器６に送られる。
【００２５】
中和器６の内部には中和剤が充填されており、この中和剤によって酸性のドレンを中和することができる。第２のドレン配管ＤＰ２は中和器６とドレン排出口ＤＯとを接続している。中和器６で中和されたドレンは第２のドレン配管ＤＰ２を通ってドレン排出口ＤＯから筐体１外に排出される。
【００２６】
中和器６の天面（上面）には２つの電極７が設けられている。これらの電極７は中和器６内の液位を検知可能に構成されている。これらの電極７は中和器６の外部から内部に延びている。これらの電極７は中和器６内のドレンに接触することによって互いに導通可能に構成されている。これらの電極７は電気配線によって制御部８に電気的に接続されている。
【００２７】
制御部８は中和器６内のドレンを検知可能に構成されている。制御部８は、２つの電極７がドレンに接触することによって互いに導通したことを示す電気信号によって中和器６内のドレンを検知する。
【００２８】
給湯経路９は、一次熱交換器４および二次熱交換器５で燃焼ガスと熱交換された湯水を熱源機外に供給するためのものである。給湯経路９は、給水配管９ａと、給湯配管９ｂと、入水口ＩＷと、出湯口ＯＷとを有している。給水配管９ａは、入水口ＩＷから二次熱交換器５に被加熱流体である水を給水可能に構成されている。給湯配管９ｂは、一次熱交換器４と出湯口ＯＷとを接続している。給湯配管９ｂは、一次熱交換器４から出湯口ＯＷに一次熱交換器４および二次熱交換器５で温められた温水を給湯可能に構成されている。これにより、入水口ＩＷから給水された水は、二次熱交換器５および一次熱交換器４を通過する際に燃焼ガスによって加熱されて出湯口ＯＷから給湯される。
【００２９】
図１および図２を参照して、中和器６は、受入部６Ｉと、排出部６Ｏとを有している。受入部６Ｉは中和器６の天面（上面）に形成されている。受入部６Ｉは第１のドレン配管ＤＰ１に接続される。ドレンは第１のドレン配管ＤＰ１を通って受入部６Ｉから中和器６に流れ込む。排出部６Ｏは中和器６の中央部に形成されている。排出部６Ｏは第２のドレン配管ＤＰ２に接続される。中和器６に流れ込んだドレンは排出部６Ｏから第２のドレン配管ＤＰ２に流れ込む。
【００３０】
また、中和器６は、中和器６の外縁部にフランジ部６ａを有している。フランジ部６ａは中和器６の天面（上面）と底面（下面）とが対向する方向に貫通する開口ＯＰを有している。
【００３１】
中和器６の天面（上面）に電極カバー１０が取り付けられている。電極カバー１０は電極７を覆うことによって、結露が電極７に接触することを防ぐためのものである。電極カバー１０は、カバー部１１と、舌片部１２と、延在部１３とを備えている。カバー部１１と、舌片部１２と、延在部１３とは一体的に形成されている。
【００３２】
カバー部１１は２つの電極７を覆っている。舌片部１２は中和器６の外縁側に配置されている。舌片部１２はカバー部１１から延びている。舌片部１２は中和器６の開口ＯＰに挿入されている。延在部１３は、カバー部１１に対して舌片部１２と反対側に配置されている。延在部１３はカバー部１１の上端から斜め下方に向かって延びている。また、延在部１３は中和器６の天面（上面）に沿って延在している。
【００３３】
図３および図４を参照して、カバー部１１は、中和器６の外部において電極７を覆うためのものである。カバー部１１は、天板部１１ａと、側板部１１ｂとを有している。天板部１１ａおよび側板部１１ｂは２つの電極７を取り囲めるように構成されている。２つの電極７の上方に位置するように天板部１１ａが配置されており、２つの電極７の側方に位置するように側板部１１ｂが配置されている。
【００３４】
舌片部１２は、カバー部１１の下端から下方に向かって延びている。舌片部１２は、開口ＯＰに挿入可能に構成されている。開口ＯＰは舌片部１２を挿通可能に構成されている。本実施の形態では、開口ＯＰは貫通孔である。なお、開口ＯＰは貫通孔に限定されず、周囲の一部が開放された切欠きであってもよい。また、開口ＯＰは矩形状の平面形状を有している。
【００３５】
カバー部１１および舌片部１２の少なくともいずれかは、第１の係止部１０ａと、第２の係止部１０ｂとを含んでいる。本実施の形態では、第１の係止部１０ａは舌片部１２に設けられており、第２の係止部１０ｂはカバー部１１に設けられている。第１の係止部１０ａは、舌片部１２が中和器６の開口ＯＰに挿入された状態で開口ＯＰ周辺の中和器６の部分のうちカバー部１１側の端部６ｂに係止可能に構成されている。第２の係止部１０ｂは、第１の係止部１０ａよりもカバー部１１側に配置されている。第２の係止部１０ｂは、舌片部１２が中和器６の開口ＯＰに挿入された状態で開口ＯＰ周辺の中和器６の部分のうちカバー部１１側の端部６ｂに係止可能である。
【００３６】
舌片部１２は、本体部１２ａと、摘み部１２ｂとを有している。本体部１２ａは、カバー部１１と摘み部１２ｂとの間に配置されている。摘み部１２ｂは、第１の係止部１０ａに対してカバー部１１側と反対側に設けられている。
【００３７】
舌片部１２は、第３の係止部１０ｃと、第４の係止部１０ｄとを含んでいる。第３の係止部１０ｃは、第１の係止部１０ａに対してカバー部１１側と反対側に配置されている。第３の係止部１０ｃは、舌片部１２が中和器６の開口ＯＰに挿入された状態で開口ＯＰ周辺の中和器６の部分のうちカバー部１１側と反対側の端部６ｃに係止可能に構成されている。第４の係止部１０ｄは、第２の係止部１０ｂに対してカバー部１１側と反対側に配置されている。第４の係止部１０ｄは、舌片部１２が中和器６の開口ＯＰに挿入された状態で開口ＯＰ周辺の中和器６の部分のうちカバー部１１側と反対側の端部６ｃに係止可能に構成されている。
【００３８】
舌片部１２は、可撓性の樹脂板で構成されている。舌片部１２の厚さ寸法は０．２５ｍｍ以上０．５ｍｍ以下である。また、舌片部１２の材料は、たとえばポリカーボネートである。また、舌片部１２の材料は、塩化ビニル、ポリフェニレンエーテル、ポリエステルなどであってもよい。また、舌片部１２だけでなく電極カバー１０全体が可撓性の樹脂板で構成されていてもよい。この場合、電極カバー１０は可撓性の樹脂板を折り曲げることによって形成されていてもよい。
【００３９】
延在部１３は、中和器６の天面（上面）と底面（下面）とが対向する方向に貫通する貫通孔１３ａを有している。貫通孔１３ａは中和器６の受入部６Ｉを挿入可能に構成されている。貫通孔１３ａに受入部６Ｉが挿入されて延在部１３が受入部６Ｉに係止されることで、延在部１３は受入部６Ｉに保持される。なお、受入部６Ｉは先端部の径が根元部の径よりも大きい。このため、貫通孔１３ａから受入部６Ｉが根元部側に抜けることが抑制される。
【００４０】
次に、本実施の形態の電極カバー１０の使用状態について説明する。本実施の形態の電極カバー１０は、仮固定位置と、完全固定位置との２つの固定位置に固定することが可能である。
【００４１】
まず、図５および図６を参照して、仮固定位置について説明する。なお、図６では、仮固定位置と、完全固定位置とのそれぞれにおける電極カバー１０の第１〜第４の係止部１０ａ〜１０ｄと中和器６の開口ＯＰおよび端部６ｂ、６ｃとの位置関係が示されている。
【００４２】
仮固定位置では、舌片部１２が中和器６の開口ＯＰに挿入された状態で、第１の係止部１０ａが開口ＯＰ周辺の中和器６の部分のうちカバー部１１側の端部６ｂに係止されている。第１の係止部１０ａの幅寸法Ａは、開口ＯＰの幅寸法Ｂよりも大きい。なお、幅寸法Ａはたとえば２１．７ｍｍ以上２２．３ｍｍ以下であり、幅寸法Ｂはたとえば１９．８ｍｍ以上２０．２ｍｍ以下である（補充をお願いします）。このため、第１の係止部１０ａは開口ＯＰの周辺の中和器６の部分のうちカバー部１１側の端部６ｂに当接する。
【００４３】
仮固定位置では、カバー部１１の下端から電極７が露出している。つまり、カバー部１１とフランジ部６ａとの間から電極７が露出する。このため、電極７の検査時に、カバー部１１の下端とフランジ部６ａとの間から電極７に検査器具をつないで電極７を検査することができる。なお、仮固定状態では、カバー部１１の下端とフランジ部６ａとの間から電極７の結線部が露出していることが好ましい。
【００４４】
本実施の形態では、仮固定位置において、舌片部１２が中和器６の開口ＯＰに挿入された状態で、第３の係止部１０ｃが開口ＯＰ周辺の中和器６の部分のうちカバー部１１側と反対側の端部６ｃに係止されている。第３の係止部１０ｃの幅寸法Ｃは、開口ＯＰの幅寸法Ｂよりも大きい。なお、幅寸法Ｃはたとえば２１．７ｍｍ以上２２．３ｍｍ以下である（補充をお願いします）。このため、第３の係止部１０ｃは開口ＯＰの周辺の中和器６の部分のうちカバー部１１側と反対側の端部６ｃに当接する。したがって、舌片部１２が中和器６の開口ＯＰからカバー部１１側に抜けることが抑制される。
【００４５】
また、フランジ部６ａの厚み寸法が第１の係止部１０ａおよび第３の係止部１０ｃ間の寸法以下であってもよい。この場合には、第１の係止部１０ａと第３の係止部１０ｃとによってフランジ部６ａが挟まれて固定される。このため、仮固定位置で電極カバー１０をしっかりと固定することができる。
【００４６】
また、図７を参照して、本実施の形態では、舌片部１２は幅狭部ＮＰを含んでいる。幅狭部ＮＰは、舌片部１２が中和器６の開口ＯＰに挿入された状態で開口ＯＰの全周において開口ＯＰの内周面との間に隙間を有するように構成されている。つまり、幅狭部ＮＰの幅方向および厚さ方向のいずれにおいても開口ＯＰの内周面と幅狭部ＮＰとの間に隙間がある。
【００４７】
続いて、再び図１および図６を参照して、完全固定位置について説明する。完全固定位置では、舌片部１２が中和器６の開口ＯＰに挿入された状態で、第２の係止部１０ｂが開口ＯＰ周辺の中和器６の部分のうちカバー部１１側の端部６ｂに係止されている。第１の係止部１０ａの幅寸法Ａと同様に、第２の係止部１０ｂの幅寸法は開口ＯＰの幅寸法よりも大きい。このため、第２の係止部１０ｂは開口ＯＰの周辺の中和器６の部分のうちカバー部１１側の端部６ｂに当接する。
【００４８】
完全固定位置では、カバー部１１によって電極７が覆われている。また、カバー部１１の下端とフランジ部６ａとの間から電極７が露出していない。このため、結露が電極７に接触することが抑制される。なお、カバー部１１の下端とフランジ部６ａとの間にわずかな隙間があってもその隙間から結露が侵入して電極７に接触しなければよい。
【００４９】
本実施の形態では、完全固定位置において、舌片部１２が中和器６の開口ＯＰに挿入された状態で、第４の係止部１０ｄが開口ＯＰ周辺の中和器６の部分のうちカバー部１１側と反対側の端部６ｃに係止されている。第３の係止部１０ｃの幅寸法Ｃと同様に、第４の係止部１０ｄの幅寸法は、開口ＯＰの幅寸法よりも大きい。このため、第４の係止部１０ｄは開口ＯＰの周辺の中和器６の部分のうちカバー部１１側と反対側の端部６ｃに当接する。したがって、舌片部１２が中和器６の開口ＯＰからカバー部１１側に抜けることが抑制される。
【００５０】
また、フランジ部６ａの厚み寸法が第２の係止部１０ｂおよび第４の係止部１０ｄ間の寸法以下であってもよい。この場合には、第２の係止部１０ｂと第４の係止部１０ｄとによってフランジ部６ａが挟まれて固定される。このため、完全固定位置で電極カバー１０をしっかりと固定することができる。
【００５１】
次に、本実施の形態の電極カバーの作用効果について説明する。
本実施の形態の電極カバー１０によれば、カバー部１１が中和器６の外部において電極７を覆うことによって結露が電極７に接触することを抑制することができる。また、舌片部１２が開口に挿入された状態で第１の係止部１０ａが中和器６の開口ＯＰ周辺の中和器６の部分のうちカバー部１１側の端部６ｂに係止されることによって、カバー部１１と中和器６のフランジ部６ａとの間から電極７が露出する。このため、カバー部１１と中和器６のフランジ部６ａとの間から電極７に検査器具をつないで電極７を検査することができる。そして、第２の係止部１０ｂが係止された状態から第１の係止部１０ａが係止された状態に舌片部を移動させることによって電極７を検査することができるため、電極カバー１０を取り付けた状態で電極７を検査することができる。したがって、電極カバー１０を取り外す場合よりも小さいスペースで電極７を検査することができる。
【００５２】
また、電極カバー１０を取り外すことなく電極７を検知することができるため、検査後に電極カバー１０を取り付け忘れたり、電極カバー１０を紛失したりすることを防止することができる。
【００５３】
本実施の形態の電極カバー１０においては、舌片部１２が中和器６の開口ＯＰに挿入された状態で幅狭部ＮＰは開口ＯＰの内周面に当接しないため、舌片部１２をスムーズに移動させることができる。
【００５４】
本実施の形態の電極カバー１０においては、第３の係止部１０ｃが端部６ｃに係止されることで舌片部１２が中和器６の開口ＯＰからカバー部１１側に抜けることを抑制することができ、第４の係止部１０ｄが端部６ｃに係止されることで舌片部１２が中和器６の開口ＯＰからカバー部１１側に抜けることを抑制することができる。
【００５５】
本実施の形態の電極カバー１０においては、摘み部１２ｂを摘まむことによって舌片部１２を操作することができる。したがって、舌片部１２を操作しやすい。
【００５６】
本実施の形態の電極カバー１０においては、舌片部１２は、可撓性の樹脂板で構成されているため、舌片部１２が変形しやすい。このため、第１の係止部１０ａを変形させて開口に挿入させることによって、第１の係止部１０ａが係止された状態から第２の係止部１０ｂが係止された状態に舌片部１２を移動させることが容易である。
【００５７】
なお、上記では本実施の形態の熱源機の貯留タンクの一例として、中和器６について説明したが、本実施の形態の貯留タンクは中和器６に限定されず、ドレンタンク、熱媒タンクなどであってもよい。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  筐体、２  燃焼装置、３  送風装置、４  一次熱交換器、５  二次熱交換器、６  中和器、６Ｉ  受入部、６Ｏ  排出部、６ａ  フランジ部、６ｂ，６ｃ  端部、７  電極、８  制御部、９  給湯経路、１０  電極カバー、１０ａ  第１の係止部、１０ｂ  第２の係止部、１０ｃ  第３の係止部、１０ｄ  第４の係止部、１１  カバー部、１１ａ  天板部、１１ｂ  側板部、１２  舌片部、１２ａ  本体部、１２ｂ  摘み部、１３  延在部、１３ａ  貫通孔、ＮＰ  幅狭部、ＯＰ  開口。
【図１】
2015219214.tif 000003
【図２】
2015219214.tif 000004
【図３】
2015219214.tif 000005
【図４】
2015219214.tif 000006
【図５】
2015219214.tif 000007
【図６】
2015219214.tif 000008
【図７】
2015219214.tif 000009